(57)【要約】      （修正有）【課題】手及び足のストレスを解消可能であり、体積を減少可能であり、部品の点数を減少可能なマッサージ機を提供する。【解決手段】本体１０と、駆動装置と、二つの偏心回動装置と、二つの揺動按摩コンポーネントと、から構成され、本体は、底蓋１１と、上蓋１２と、を有し、底蓋と上蓋との間に収容空間が形成され、収容空間は駆動装置を収容可能であり、上蓋の両側の端部には、位置決め溝と、貫通穴とがそれぞれ設けられており、駆動装置は、収容空間に収容され、モータを備え、モータは、出力軸が中心から両側に延び、二つの出力軸にギア組がそれぞれ連結されており、二つの偏心回動装置と二つの揺動按摩コンポーネントとは、上蓋の両側にある貫通穴に組み付けられており、二つの揺動按摩コンポーネントは、二つの二層偏心ブロックの両側にそれぞれ設けられており、揺動按摩コンポーネントは按摩揺動片から構成される。【選択図】図１
0003212589.tif 000002
【実用新案登録請求の範囲】
【請求項１】
本体と、駆動装置と、二つの偏心回動装置と、二つの揺動按摩コンポーネントと、から構成され、
前記本体は、底蓋と、上蓋と、を有し、前記底蓋と前記上蓋との間に収容空間が形成され、前記収容空間は前記駆動装置を収容可能であり、前記上蓋の両側の端部には、位置決め溝と、貫通穴とがそれぞれ設けられており、
前記駆動装置は、前記収容空間に収容され、モータを備え、前記モータは、出力軸が中心から両側に延び、二つの前記出力軸にギア組がそれぞれ連結されており、前述ギア組は、第一ギアと、第二ギアと、を有し、前記第一ギアと前記出力軸とを連接することにより、出力の動力が転向され、前記第二ギアにより、前記偏心回動装置が回転を行い、
二つの前記偏心回動装置と二つの前記揺動按摩コンポーネントとは、前記上蓋の両側にある貫通穴に組み付けられており、前述偏心回動装置は、二層偏心ブロックと、偏心固定ブロックとから構成され、前記二層偏心ブロックと前記偏心固定ブロックとに偏心穴が設けられており、前記偏心固定ブロックは、前記二層偏心ブロックに組み合わせられた後、前記上蓋の表面に位置決められ、伝達軸が、前記上蓋の前記貫通穴を挿通して、前記ギア組の前記第二ギアと連結し、
二つの前記揺動按摩コンポーネントは、二つの前記二層偏心ブロックの両側にそれぞれ設けられており、前述揺動按摩コンポーネントは、対称するように設けられている按摩揺動片から構成され、前述按摩揺動片は、水平側と、垂直側と、を有し、前記水平側に、スライド溝と、連結穴とが設けられており、前記垂直側は人体を按摩可能であり、
前記按摩揺動片は対向するように設けられ、前記按摩揺動片の前記水平側は、前記連結穴を有する一端が、積み上げ方式により、前記二層偏心ブロックに嵌め設けられており、前記スライド溝を有する一側が、位置決め柱が前記スライド溝を挿通して前記上蓋の位置決め溝に固定され、
これにより、前記駆動装置を起動すると、前記第二ギアに設けられている伝達軸が回転されて、前記偏心回動装置に設けられている前記二層偏心ブロックと前記偏心固定ブロックとが連動されて、その両側にある前記按摩揺動片が偏心するように揺動し、二つの前記揺動按摩片は、前記水平側に設けられている前記スライド溝による規制効果により、前記スライド溝に沿って往復的な前後挟みの動作を行うことを特徴とするマッサージ機。
【請求項２】
前述揺動按摩コンポーネントに按摩マットが組み付けられていることにより、按摩の過程中に、手で挟むことによる按摩を行うような快適感をユーザに与え可能であることを特徴とする、請求項１に記載のマッサージ機。
【請求項３】
前記二層偏心ブロックの上方には、更に、按摩粒を有する按摩ヘッドが組み付けられていることにより、人体の部位に対して、回転による按摩を与え可能であることを特徴とする、請求項１に記載のマッサージ機。
【請求項４】
前記二層偏心ブロックには、異物の侵入を防止可能な止め板が設けられており、前記止め板にヒータが設けられていることにより、按摩の過程中に、人体の部位を加熱して血液の循環を促進可能であることを特徴とする、請求項１に記載のマッサージ機。
【考案の詳細な説明】
【技術分野】
【０００１】
本考案は、マッサージ機に関し、特に、揉み及び挟みにより、手及び足のストレスを解消可能であり、体積を減少可能であり、部品の点数を減少可能なマッサージ機に関するものである。
【背景技術】
【０００２】
従来の足マッサージ機の構造は、例えば、特許文献１の中華民国実用新案第Ｍ４１２７６４号、特許文献２の中華民国実用新案第Ｍ４１７１４３号及び特許文献３の中華民国実用新案第Ｍ４３２４１１号が提案された。これらの構造及び欠点は下記の通りである。
【０００３】
まず、中華民国実用新案第Ｍ４１２７６４号の足マッサージ機は、本体と、前記本体の予定部位に設けられており、連動ロッドを有し、ロッドの軸を中心として回転可能な連動ユニットと、偏心するように連動ロッドに設けられており、連動ユニットに駆動されて第一位置と第二位置との間に往復に作動可能であり、ユーザの足を挟み、又は揉み可能な少なくとも一つの第一按摩ユニットと、連動ロッドと連接し、連動ユニットに駆動されて回転可能であり、ユーザの足を押圧するための少なくとも一つの第二按摩ユニットと、本体の予定部位に設けられており、ユーザの足裏に押付けるための少なくとも一つの第三按摩ユニットと、を含む。上記の構造の欠点は下記にある。すなわち、動力部(つまり、モータ)はベースの中央に設けられており、動力部の動力を連動ロッドに伝達するために、ベースの高さを上げることが必要であるが、構造の体積が大きくなり、かなりのスペースを占める。
【０００４】
例えば、中華民国実用新案第Ｍ４１７１４３号の弾力による挟み機能を有する足裏マッサージ機は、基板と、駆動モジュールと、二つの按摩モジュールと、二つの挟みモジュールと、二つの弾性モジュールと、を含む。挟みモジュールは、外挟み片と、内挟み片と、を含む。外挟み片は、基板の側辺に対応するように、按摩モジュールの一側に設けられている。なお、内挟み片は按摩モジュールの一側に設けられている。弾性モジュールは、外挟み片の一側に設けられており、第一弾性子を有する。これにより、外挟み片が何れかの外力を受けない状態で、待機位置に保持され可能である。しかし、両組の駆動モジュールが設けられているため、部品の点数が多く、これにより、組付け作業が複雑となり、生産コストが増加し、そして両組の駆動モジュールを有するため、マッサージ機の体積が大きくなる問題がある。
【０００５】
例えば、中華民国実用新案第Ｍ４３２４１１号の足裏按摩器は、動力部と、主伝動軸と、傾斜回転子と、内部の部材をカバーする保護ケースと、を含む。主伝動軸は、動力部に対称的に嵌めて連接されている。これにより、動力部は主伝動軸を駆動して自転させる。傾斜回転子は、外周面に按摩板が嵌め設けられており、内周面が主伝動軸に嵌合されている。主伝動軸の動力部に対称する辺には、二つの傾斜回転子が嵌め設けられている。二つの傾斜回転子の間の距離は、足裏の幅と同じように保持される。二つの傾斜回転子の外周面には、按摩板がそれぞれ設けられている。動力部が主伝動軸を駆動する場合には、主伝動軸が二つの傾斜回転子を回転し、ひいては二つの按摩板が波のように揺動する。そして動力部に対称する他辺の機械構造も同じである。その欠点は下記の通りである。動力部は、下ケースに設けられており、斜めに設けられているため、増高ブロックを増設しないと、別の部材に動力部を組み付けることができない。そうすると、構造の体積が大きくなる。
【先行技術文献】
【特許文献】
【０００６】
【特許文献１】中華民国実用新案第Ｍ４１２７６４号公報
【特許文献２】中華民国実用新案第Ｍ４１７１４３号公報
【特許文献３】中華民国実用新案第Ｍ４３２４１１号公報
【考案の概要】
【考案が解決しようとする課題】
【０００７】
本考案の主な目的は、複数の偏心伝動部材による偏心運動により、機体に連結されている挟みコンポーネントが、人体に対して、挟みによる按摩効果を与えるマッサージ機を提供することにある。
【０００８】
本考案の別の目的は、按摩装置の動作の形態を変更することにより、部品の点数を減少可能であり、構造を簡単化にすることが可能であり、生産コストを減少可能なマッサージ機を提供することにある。
【課題を解決するための手段】
【０００９】
本考案のマッサージ機によると、本体と、駆動装置と、二つの偏心回動装置と、二つの揺動按摩コンポーネントと、から構成され、
本体は、底蓋と、上蓋と、を有し、底蓋と上蓋との間に収容空間が形成され、収容空間は駆動装置を収容可能であり、上蓋の両側の端部には、位置決め溝と、貫通穴とがそれぞれ設けられており、
駆動装置は、収容空間に収容され、モータを備え、モータは、出力軸が中心から両側に延び、二つの出力軸にギア組がそれぞれ連結されており、ギア組は、第一ギアと、第二ギアと、を有し、第一ギアと出力軸とを連接することにより、出力の動力が転向され、第二ギアにより、偏心回動装置が回転を行い、
二つの偏心回動装置と二つの揺動按摩コンポーネントとは、上蓋の両側にある貫通穴に組み付けられており、偏心回動装置は、二層偏心ブロックと、偏心固定ブロックとから構成され、二層偏心ブロックと偏心固定ブロックとに偏心穴が設けられており、偏心固定ブロックは、二層偏心ブロックに組み合わせられた後、上蓋の表面に位置決められ、伝達軸が、上蓋の貫通穴を挿通して、ギア組の第二ギアと連結し、
二つの揺動按摩コンポーネントは、二つの二層偏心ブロックの両側にそれぞれ設けられており、揺動按摩コンポーネントは、対称するように設けられている按摩揺動片から構成され、按摩揺動片は、水平側と、垂直側と、を有し、水平側に、スライド溝と、連結穴とが設けられており、垂直側は人体を按摩可能であり、
按摩揺動片は対向するように設けられ、按摩揺動片の水平側は、連結穴を有する一端が、積み上げ方式により、二層偏心ブロックに嵌め設けられており、スライド溝を有する一側が、位置決め柱がスライド溝を挿通して上蓋の位置決め溝に固定され、
これにより、駆動装置を起動すると、第二ギアに設けられている伝達軸が回転されて、偏心回動装置に設けられている二層偏心ブロックと偏心固定ブロックとが連動されて、その両側にある按摩揺動片が偏心するように揺動し、二つの揺動按摩片は、水平側に設けられているスライド溝による規制効果により、スライド溝に沿って往復的な前後挟みの動作を行うことを特徴とする。
【００１０】
本考案のマッサージ機によると、揺動按摩コンポーネントに按摩マットが組み付けられていることにより、按摩の過程中に、手で挟むことによる按摩を行うような快適感をユーザに与え可能であることを特徴とする。
【００１１】
本考案のマッサージ機によると、二層偏心ブロックの上方には、更に、按摩粒を有する按摩ヘッドが組み付けられていることにより、人体の部位に対して、回転による按摩を与え可能であることを特徴とする。
【００１２】
本考案のマッサージ機によると、二層偏心ブロックには、異物の侵入を防止可能な止め板が設けられており、止め板にヒータが設けられていることにより、按摩の過程中に、人体の部位を加熱して血液の循環を促進可能であることを特徴とする。
【考案の効果】
【００１３】
本考案のマッサージ機によれば、次のような効果がある。
（１）組付け作業が簡易となり、より少ない部品で人体を按摩することが可能である。
【００１４】
（２）直接駆動の設計方式を採用し、モータとギア組との駆動により、往復に揺動することによる按摩を行うため、機体の体積を減少可能であり、収納が便利となる。
【図面の簡単な説明】
【００１５】
【図１】本考案に係るマッサージ機の構造を示す斜視図である。
【図２】本考案に係る本体と駆動装置とを示す分解斜視図である。
【図３】本考案に係る偏心回動装置と揺動按摩コンポーネントとの構造を示す斜視図である。
【図４】本考案に係る偏心回動装置と揺動按摩コンポーネントとの構造を示す分解斜視図である。
【図５】偏心回動装置に揺動按摩コンポーネントを結合した後の構造を示す剖面図である。
【図６】本考案に係るマッサージ機の使用状態を示す図である。
【図７】本考案に係るマッサージ機の使用状態を示す図である。
【図８】本考案に係るマッサージ機の実施の形態を示す図である。
【考案を実施するための形態】
【００１６】
以下、本考案の実施の形態を図面に基づいて説明する。
【００１７】
図１から図８を参照する。本考案に係るマッサージ機は、本体１０と、駆動装置２０と、二つの偏心回動装置３０と、二つの揺動按摩コンポーネント４０と、から構成される。
【００１８】
図１及び図２を参照する。本体１０は、底蓋１１と、上蓋１２と、を有する。底蓋１１と上蓋１２との間に収容空間１３が形成される。収容空間１３は駆動装置２０を収容する。上蓋１２の両側の端部には、複数の位置決め溝１４と、複数の貫通穴１５とがそれぞれ設けられている。上蓋１２の位置決め溝１４は、段差を有するように設けられている。
【００１９】
図１及び図２を参照する。駆動装置２０は収容空間１３に取り付けられている。駆動装置２０はモータ２１を備える。モータ２１は、中心から両側に延びる出力軸２２を有する。二つの出力軸２２にギア組２３がそれぞれ連結されている。ギア組２３は、第一ギア２３１と、第二ギア２３２と、を有する。第一ギア２３１と出力軸２２とを連接することにより、出力の動力が転向される。第二ギア２３２により、偏心回動装置３０が回転を行う。
【００２０】
図１から図８を参照する。二つの偏心回動装置３０は、上蓋１２の両側にある貫通穴１５の上方に組み付けられている。偏心回動装置３０は、二層偏心ブロック３１と、偏心固定ブロック３２と、から構成される。二層偏心ブロック３１と偏心固定ブロック３２とには、偏心穴３１１，３２１が設けられている。偏心固定ブロック３２は、二層偏心ブロック３１に組み合わせられた後、上蓋１２の表面に位置決められる。伝達軸３３は、上蓋１２の貫通穴１５を挿通してギア組２３の第二ギア２３２と連結する。
【００２１】
図１から図８を参照する。揺動按摩コンポーネント４０は、対称するように設けられる按摩揺動片４１から構成される。按摩揺動片４１は、水平側４１１と、垂直側４１２と、を有する。水平側４１１には、スライド溝４１１１と、連結穴４１１２とが設けられている。垂直側４１２は人体を按摩可能である。按摩揺動片４１は対向するように設けられる。按摩揺動片４１の水平側４１１は、連結穴４１１２を有する一端が、積み上げ方式により、二層偏心ブロック３１に嵌め設けられており、スライド溝を有する一側が、位置決め柱４２がスライド溝４１１１を挿通して上蓋１２の位置決め溝１４に固定される。
【００２２】
次に、図１から図８を参照しながら、本考案に係るマッサージ機の使用状態を説明する。駆動装置２０を起動すると、第二ギア２３２に設けられている伝達軸３３が回転されて、偏心回動装置３０に設けられている二層偏心ブロック３１と偏心固定ブロック３２とが連動されて、その両側にある按摩揺動片４１が偏心するように揺動する。二つの前記揺動按摩片は、水平側４１１に設けられているスライド溝４１１１による規制効果により、スライド溝４１１１に沿って往復的な前後挟みの動作を行う。
【００２３】
図８を参照する。本実施の形態では、各揺動按摩コンポーネント４０には、按摩マット５０が対称するように設けられている。按摩マット５０は、スポンジ、又はエマルジョンマットなどを採用する。このようなマットを介在するように人体を按摩すると、人体の部位によって按摩の角度を変化可能である。これにより、按摩の過程中に、人間の手で挟むような快適感をユーザに与え可能である。
【００２４】
図１、図３及び図４を参照する。本実施の形態では、二層偏心ブロック３１の上方には、更に、按摩粒を有する按摩ヘッド３４が組み付けられている。按摩ヘッド３４は、キノコ状を呈し、人体の部位に対して、回転による按摩効果を与え可能である。
【００２５】
図１、図３及び図４を参照する。本実施の形態では、二層偏心ブロック３１には、異物の侵入を防止可能な止め板３５が設けられている。止め板３５にヒータ３６が設けられている。ヒータ３６により、按摩の過程中に、人体の部位を加熱して血液の循環を促進可能である。
【００２６】
本考案に係るマッサージ機によれば、ギア組２３が按摩装置を直接に駆動して、人体を挟むことによる按摩を行うため、従来のマッサージ機に比べて、体積を減少可能であり、部品の点数を減少可能であり、組付け作業の効率を増加可能である。
【００２７】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００２８】
１０  本体
１１  底蓋
１２  上蓋
１３  収容空間
１４  位置決め溝
１５  貫通穴
２０  駆動装置
２１  モータ
２２  出力軸
２３  ギア組
３０  偏心回動装置
３１  二層偏心ブロック
３２  偏心固定ブロック
３３  伝達軸
３４  按摩ヘッド
３５  止め板
３６  ヒータ
４０  揺動按摩コンポーネント
４１  按摩揺動片
４２  位置決め柱
５０  按摩マット
２３１  第一ギア
２３２  第二ギア
３１１  偏心穴
３２１  偏心穴
４１１  水平側
４１２  垂直側
４１１１  スライド溝
４１１２  連結穴
【図１】
0003212589.tif 000003
【図２】
0003212589.tif 000004
【図３】
0003212589.tif 000005
【図４】
0003212589.tif 000006
【図５】
0003212589.tif 000007
【図６】
0003212589.tif 000008
【図７】
0003212589.tif 000009
【図８】
0003212589.tif 000010